【手続補正書】
【提出日】平成20年2月18日(2008.2.18)
【手続補正１】
【補正対象書類名】明細書
【補正対象項目名】特許請求の範囲
【補正方法】変更
【補正の内容】
【特許請求の範囲】
【請求項１】  放送局から送信されるデジタル放送番組データの受信及び表示が可能に構成されたデジタルテレビ装置において、
動画又は静止画を含む複数の広告情報を蓄積する蓄積手段と、
前記デジタル放送番組データから、放送される番組の放送時間に関する情報を取得する取得手段と、
前記取得手段により取得された前記放送時間に関する情報に基づいて、前記放送される番組に対応させて表示する広告情報の数を決定し、前記蓄積手段に蓄積された前記複数の広告情報の中から前記放送される番組に対応させて表示する広告情報を選択する選択手段と、
前記選択手段により選択された広告情報を前記放送される番組に対応させて表示部に表示させる表示制御手段とを備えたことを特徴とするデジタルテレビ装置。
【請求項２】  前記取得手段は、前記デジタル放送番組データから、放送される番組の属性情報を取得し、前記選択手段は、前記取得手段により取得された前記放送される番組の属性情報と、前記広告情報に含まれるキーワードとに基づいて、前記放送される番組に対応させて表示する広告情報の順序を決定することを特徴とする請求項１記載のデジタルテレビ装置。
【請求項３】  前記選択手段は、さらに、前記広告情報の累積蓄積時間と表示された回数のうちの少なくとも一方を加味して、前記放送される番組に対応させて表示する広告情報の順序を決定することを特徴とする請求項２記載のデジタルテレビ装置。
【請求項４】  前記選択手段は、前記取得手段により取得された前記放送される番組の属性情報と前記広告情報に含まれるキーワードとの合致の度合いに応じて、前記選択された広告情報の表示されるべき回数及び表示される順序の少なくとも一方を決定することを特徴とする請求項１記載のデジタルテレビ装置。
【請求項５】  放送局から送信されるデジタル放送番組データの受信及び表示が可能に構成されたデジタルテレビ装置の制御方法において、
動画又は静止画を含む複数の広告情報を蓄積部に蓄積させる蓄積工程と、
前記デジタル放送番組データから、放送される番組の放送時間に関する情報を取得する取得工程と、
前記取得工程により取得された前記放送時間に関する情報に基づいて、前記放送される番組に対応させて表示する広告情報の数を決定し、前記蓄積工程により前記蓄積部に蓄積された前記複数の広告情報の中から前記放送される番組に対応させて表示する広告情報を選択する選択工程と、
前記選択工程により選択された広告情報を前記放送される番組に対応させて表示部に表示させる表示制御工程とを有することを特徴とするデジタルテレビ装置の制御方法。
【請求項６】  前記取得工程は、前記デジタル放送番組データから、放送される番組の属性情報を取得し、前記選択工程は、前記取得工程により取得された前記放送される番組の属性情報と、前記広告情報に含まれるキーワードとに基づいて、前記放送される番組に対応させて表示する広告情報の順序を決定することを特徴とする請求項５記載のデジタルテレビ装置の制御方法。
【請求項７】  前記選択工程は、さらに、前記広告情報の累積蓄積時間と表示された回数のうちの少なくとも一方を加味して、前記放送される番組に対応させて表示する広告情報の順序を決定することを特徴とする請求項６記載のデジタルテレビ装置の制御方法。
【請求項８】  前記選択工程は、前記取得工程により取得された前記放送される番組の属性情報と前記広告情報に含まれるキーワードとの合致の度合いに応じて、前記選択された広告情報の表示されるべき回数及び表示される順序の少なくとも一方を決定することを特徴とする請求項５記載のデジタルテレビ装置の制御方法。
【請求項９】  放送局から送信されるデジタル放送番組データの受信及び表示が可能に構成されたデジタルテレビ装置の制御方法をコンピュータに実行させるプログラムにおいて、
前記制御方法は、
動画又は静止画を含む複数の広告情報を蓄積部に蓄積させる蓄積工程と、
前記デジタル放送番組データから、放送される番組の放送時間に関する情報を取得する取得工程と、
前記取得工程により取得された前記放送時間に関する情報に基づいて、前記放送される番組に対応させて表示する広告情報の数を決定し、前記蓄積工程により前記蓄積部に蓄積された前記複数の広告情報の中から前記放送される番組に対応させて表示する広告情報を選択する選択工程と、
前記選択工程により選択された広告情報を前記放送される番組に対応させて表示部に表示させる表示制御工程とを有することを特徴とするプログラム。
【請求項１０】  請求項９記載のプログラムを格納することを特徴とするコンピュータで読み取り可能な記憶媒体。
【手続補正２】
【補正対象書類名】明細書
【補正対象項目名】０００８
【補正方法】変更
【補正の内容】
【０００８】
【課題を解決するための手段】
上記目的を達成するために本発明の請求項１のデジタルテレビ装置は、放送局から送信されるデジタル放送番組データの受信及び表示が可能に構成されたデジタルテレビ装置において、動画又は静止画を含む複数の広告情報を蓄積する蓄積手段と、前記デジタル放送番組データから、放送される番組の放送時間に関する情報を取得する取得手段と、前記取得手段により取得された前記放送時間に関する情報に基づいて、前記放送される番組に対応させて表示する広告情報の数を決定し、前記蓄積手段に蓄積された前記複数の広告情報の中から前記放送される番組に対応させて表示する広告情報を選択する選択手段と、前記選択手段により選択された広告情報を前記放送される番組に対応させて表示部に表示させる表示制御手段とを備えたことを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】変更
【補正の内容】
【００１６】
同じ目的を達成するために本発明の請求項５のデジタルテレビ装置の制御方法は、放送局から送信されるデジタル放送番組データの受信及び表示が可能に構成されたデジタルテレビ装置の制御方法において、動画又は静止画を含む複数の広告情報を蓄積部に蓄積させる蓄積工程と、前記デジタル放送番組データから、放送される番組の放送時間に関する情報を取得する取得工程と、前記取得工程により取得された前記放送時間に関する情報に基づいて、前記放送される番組に対応させて表示する広告情報の数を決定し、前記蓄積工程により前記蓄積部に蓄積された前記複数の広告情報の中から前記放送される番組に対応させて表示する広告情報を選択する選択工程と、前記選択工程により選択された広告情報を前記放送される番組に対応させて表示部に表示させる表示制御工程とを有することを特徴とする。
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】変更
【補正の内容】
【００２４】
同じ目的を達成するために本発明の請求項９のプログラムは、放送局から送信されるデジタル放送番組データの受信及び表示が可能に構成されたデジタルテレビ装置の制御方法をコンピュータに実行させるプログラムにおいて、前記制御方法は、動画又は静止画を含む複数の広告情報を蓄積部に蓄積させる蓄積工程と、前記デジタル放送番組データから、放送される番組の放送時間に関する情報を取得する取得工程と、前記取得工程により取得された前記放送時間に関する情報に基づいて、前記放送される番組に対応させて表示する広告情報の数を決定し、前記蓄積工程により前記蓄積部に蓄積された前記複数の広告情報の中から前記放送される番組に対応させて表示する広告情報を選択する選択工程と、前記選択工程により選択された広告情報を前記放送される番組に対応させて表示部に表示させる表示制御工程とを有することを特徴とする。
【手続補正１９】
【補正対象書類名】明細書
【補正対象項目名】００２５
【補正方法】変更
【補正の内容】
【００２５】
同じ目的を達成するために本発明の請求項１０の記憶媒体は、請求項９記載のプログラムをコンピュータで読み取り可能に格納することを特徴とする。
【手続補正２０】
【補正対象書類名】明細書
【補正対象項目名】００３５
【補正方法】変更
【補正の内容】
【００３５】
また、広告情報３０３が常に最新であることを可能にするために、情報蓄積部１０７内の蓄積情報が更新可能であると同時に、なんらかの方法で外部から更新できる手段をデジタルテレビ装置１００が有する必要がある。例えば、デジタルテレビ装置１００が、ＣＡＴＶ回線や電話回線と接続可能であり、インターネットを使用した双方向通信手段を持つようにすればよい。そして広告情報３０３は、インターネットを介して、放送事業者あるいは広告情報３０３を管理する広告提供者から、監視・更新が可能なようにすることが考えられる。情報蓄積部１０７の更新データ量が膨大になるため、インターネットに接続するための回線は、できるだけ太い回線であることが望まれる。
【手続補正２１】
【補正対象書類名】明細書
【補正対象項目名】００５９
【補正方法】変更
【補正の内容】
【００５９】
次に、ステップＳ２１１では、順位付け、すなわち、選択された複数の広告情報３０３間での表示の順序を決定する。表示の順序の決定手法は種々考えられるが、例えば、カウント値Ｃｎが高く複数の表示回数を持っている広告情報３０３は、続けて表示されることがないように配慮する。あるいは、これとは逆に、続けて表示されるようにした方が適当な場合もある。従って、各広告情報３０３に応じて続けて表示されることを許容するかしないかを設定すればよい。